(57)【要約】【課題】  薄型化が可能なスピーカを提供する。【解決手段】  湾曲面を有する振動板１０と、振動板１０の端部を支持し、入力信号に応じて伸縮する磁歪素子２１により振動板１０の端部を介して振動板１０を振動駆動する駆動部２０とを設けたので、例えば動電型駆動部を有するスピーカと比べて、薄型化することができる。【選択図】図１
2006332781.tif 000002
【特許請求の範囲】
【請求項１】
湾曲面を有する振動板と、
前記振動板の端部を支持し、前記端部を介して前記振動板を振動駆動する駆動部と
を有し、
前記駆動部は、入力信号に応じて伸縮する磁歪素子を含む
ラテラル駆動型スピーカ。
【請求項２】
前記駆動部は、前記端部を介して少なくとも前記振動板の湾曲面の面方向に沿った方向に振動駆動する
請求項１に記載のラテラル駆動型スピーカ。
【請求項３】
前記振動板の一端部に、前記振動部が設けられ、
前記振動板の他端部が、半固定または固定するように支持されている
請求項１または２に記載のラテラル駆動型スピーカ。
【請求項４】
前記振動板の両端部に、前記駆動部が設けられている
請求項１または２に記載のラテラル駆動型スピーカ。
【請求項５】
前記振動板は、高剛性の金属箔により形成されている
請求項１から４のいずれか一に記載のラテラル駆動型スピーカ。
【請求項６】
前記振動板は、マグネシウム箔により形成されている
請求項１から４のいずれか一に記載のラテラル駆動型スピーカ。
【発明の詳細な説明】
【技術分野】
【０００１】
本発明は、例えば、湾曲した駆動板の端面を駆動して振動するラテラル駆動型スピーカに関するものである。
【背景技術】
【０００２】
近年、ディスプレイとスピーカが一体となったＡＶ（Audio Visual）機器、例えば、ＰＤＰ（Plasma Display Panel）テレビ受像機、液晶テレビ受像機、携帯型ＤＶＤプレーヤ等においては、フラット・パネル・ディスプレイの採用により機器の薄型化が進められている。
【０００３】
また、携帯電話、ＰＤＡ（Personal Digital Assistance）等の携帯型情報端末機器においても液晶ディスプレイや有機ＥＬディスプレイ等のフラット・パネル・ディスプレイが一般に採用されており、薄型かつ軽量化が進められている。
【０００４】
このようなＡＶ機器や携帯型情報端末機器においては、機器全体の薄型化が進められる中でスピーカの設置スペースが大きな問題になっている。また、スピーカを別載する機器においても、車載用の機器や狭いスペースを大きく確保できない場合がある。このような事情により、スピーカに対しての薄型化の要求は更に高くなっている。
【０００５】
このような要求に対応するスピーカとして、例えば、矩形の振動板をその長さ方向に沿って湾曲形成し、その一端を半固定し、他端部を振動可能にエッジを介して支持し、かつ背面の中心部から他端部寄りにドライバを取付けて駆動するスピーカが知られている（例えば、特許文献１参照）。
【０００６】
また、湾曲した振動板と、振動板の端部に設けられたコイルと、そのコイルを挟持するように配置された電磁石とを有し、電磁石による磁気的駆動力により振動板が振動するスピーカが知られている（例えば、特許文献２参照）。
【０００７】
【特許文献１】特開２００４−３５６８６８号公報（図３）
【特許文献２】特開昭６４−５４８９９号公報（図３）
【発明の開示】
【発明が解決しようとする課題】
【０００８】
上述したスピーカでは、動電型の駆動部として、直流磁界を生成する磁気回路、導体により形成されたコイル、コイルを固定するボビン、ボビンを支持するダンパー、および磁気回路とダンパーを一体化して保持するフレームを主構成要素として有する。
【０００９】
しかし、上述したように動電型スピーカでは駆動部が複雑な構成で比較的大きいために薄型化することが困難であるという問題点がある。
【００１０】
本発明は、このような問題に対処することを課題の一例とするものである。すなわち、より薄型化が可能なスピーカを提供することが目的である。
【課題を解決するための手段】
【００１１】
このような目的を達成するために、本発明によるラテラル駆動型スピーカは、以下の各独立請求項に係る構成を少なくとも具備するものである。
【００１２】
請求項１に係る発明のラテラル駆動型スピーカは、湾曲面を有する振動板と、前記振動板の端部を支持し、前記端部を介して前記振動板を振動駆動する駆動部とを有し、前記駆動部は、入力信号に応じて伸縮する磁歪素子を含むことを特徴とする。
【発明を実施するための最良の形態】
【００１３】
本発明の一実施形態に係るラテラル駆動型スピーカは、湾曲面を有する振動板と、その振動板の端部を支持し、端部を介して振動板を振動駆動する駆動部とを有する。その駆動部は、例えば入力信号に応じて伸縮する磁歪素子により形成されている。
磁歪素子が伸縮振動することにより、その振動が端部を介して振動板を振動して、例えば振動板の湾曲面の面方向と直交する方向に振動して音波を発生する。
駆動部に磁歪素子を用いることにより、例えば比較的構造が複雑な動電型の駆動部よりも小型化することができ、スピーカ装置全体を薄型化することができる。
【００１４】
以下、本発明の実施形態を図面を参照して詳細に説明する。
図１は、本発明の第１実施形態に係るラテラル駆動型スピーカの構造を示す説明図である。図２は、図１に示したラテラル駆動型スピーカ１の平面図である。
図１，２に示すように、本実施形態に係るラテラル駆動型スピーカ１は、振動板１０、駆動部２０、および支持部３０を有する。
【００１５】
振動板１０は、例えば図１，２に示すように湾曲面を形成した湾曲部１１を有する。例えば、振動板１０の略中央部に、湾曲部１１が形成されている。また、振動板１０は、弾性および可塑性を有している。本実施形態では、振動板１０は、例えば図１に示すように、一端部１０ａが支持部３０によって機械的に半固定または固定するように支持されている。また振動板１０の他端部１０ｂは、駆動部２０に接合して支持されている。
湾曲部１１は、例えば図１に示すように、上側に凸形状の湾曲面を有する。この湾曲部１１の曲率を変化させることにより、振動板１０が生成する音波の音質を制御することができる。
また、振動板１０は、例えば紙系材料、樹脂などの高分子系材料、金属系材料、またはそれらを組み合わせた複合化材料などを基材として形成されている。本実施形態に係る振動板１０は、例えば樹脂系フィルムと比べて高剛性の金属箔（金属フィルム）により形成されていることが好ましい。振動板１０として、高剛性の金属箔を用いることにより、例えば樹脂系フィルムにより形成された振動板と比べて、面積が大きな振動板１０を形成することができる。振動板１０の面積を大きくすることで、低音域の音圧特性が向上する。
また、振動板１０は、例えばマグネシウムなど比較的比重が小さい金属箔により形成されていることが好ましい。比較的比重の小さい金属箔を用いることにより、振動板１０の自重変形を低減することができる。また、振動板１０の剛性を高くするために、振動板１０を厚く形成しても、振動板１０の重量を比較的小さくすることができる。
【００１６】
駆動部２０は、振動板１０の端部１０ｂを支持する。また、駆動部２０は、例えば図１に示すように振動板１０の端部１０ｂを介して振動板１０を振動駆動する。
【００１７】
図３は、図１に示したラテラル駆動型スピーカ１の駆動部２０を説明するための断面図である。図３に示すように、駆動部２０は、磁歪素子２１、コイル部２２、および保持部２３を有する。
磁歪素子２１は、例えばコイル部２２等による外部からの磁界に応じて伸縮する。磁歪素子２１は、詳細には例えば希土類元素や遷移金属元素などにより形成され、外部磁場に応じて寸法が変化する。例えば図３に示すように、磁歪素子２１の一端部が振動板１０の一端部に接合し、他端部が保持部２３に接合するように形成されている。
【００１８】
コイル部２２は、磁歪素子２１の周囲に形成されている。例えばコイル部２２は筒形状に形成され、図３に示すように、磁歪素子２１を筒内部に位置するように保持部２３の一方の面上に形成されている。また、コイル部２２は、例えば端子Ｔ１，Ｔ２を介して信号源Ｓ０に電気的に接続されている。コイル部２２には、例えば信号源Ｓ０から音声信号に応じた電気信号が、端子Ｔ１，Ｔ２を介して入力される。コイル部２２は、この入力信号に応じた磁界を発生する。
【００１９】
保持部２３は、例えば図３に示すように、一方の面上に磁歪素子２１およびコイル部２２が形成されている。保持部２３は、例えば非磁性材料により形成されることが好ましい。これは、コイル部２２が生成する磁界に与える影響を低減するためである。
【００２０】
上述したように、駆動部２０は、磁歪素子２１とコイル部２２からなる単純な構造を有するので、動電方式の駆動部と比較して、駆動部２０を小型化することができる。
また、比較的小型の保持部２３により、磁歪素子２１とコイル部２２を保持する構造としても、動電方式の駆動部と比較して、駆動部２０を小型化することができる。
【００２１】
上述した構成のラテラル駆動型スピーカ１の動作について、駆動部２０の動作を中心に、図１〜３を参照しながら説明する。
信号源Ｓ０から、端子Ｔ１，Ｔ２を介して信号がコイル部２２に入力され、コイル部２２は入力信号に応じて磁界を生成する。磁歪素子２１は、コイル部２２が生成する磁界に応じて伸縮する。より具体的には、例えば入力信号として音声信号などの交流成分を含む電気信号がコイル部２２に入力されると、コイル部２２ではその信号に応じて変動磁場を生成する。磁歪素子２１は、コイル部２２が生成する変動磁場に応じて、例えば図３に示すように、コイル部２２の軸方向に沿った方向Ｓ２に伸縮して振動する。
【００２２】
振動板１０の端部１０ｂは、図１に示すように、磁歪素子２１の伸縮振動に応じた駆動力を受け、その駆動力に応じて伸縮方向Ｓ２に沿って振動する。つまり、駆動部２０は、図１に示すように、振動板１０の端部１０ｂを介して少なくとも振動板１０の湾曲面の面方向に沿った方向Ｓ２に振動駆動する。高剛性の振動板１０は、振動板１０の端部１０ｂの振動により撓み、振動板１０の湾曲部１１の中央部付近では、例えば図１に示すように湾曲部１１の面方向と直交する方向Ｓ１に沿って振動する。その結果、振動板１０の湾曲面から、その湾曲面に直交する方向に沿って音圧が放射される。
【００２３】
上述したように、湾曲面が形成された湾曲部１１を有する振動板１０と、振動板１０の端部１０ｂを支持しその端部１０ｂを介して振動板１０を振動駆動し、入力信号に応じて伸縮する磁歪素子２０により形成された駆動部２０とを有するので、ラテラル駆動型スピーカ１全体を薄型化することができる。
【００２４】
つまり上述したように、駆動部２０は、磁歪素子２１とコイル部２２からなる単純な構造を有し、動電方式の駆動部と比較して小型化することができるので、ラテラル駆動型スピーカ１全体を薄型化することができる。
【００２５】
また、駆動部２０は、振動板１０の端部１０ｂを支持し、その端部１０ｂを介して少なくとも振動板１０の湾曲面の面方向に沿った方向Ｓ２に振動駆動するので、振動板１０の端部１０ｂの比較的小さな振動駆動により、振動板１０が撓み、振動板１０の湾曲部１１の中央部付近では、例えば図１に示すように湾曲部１１の面方向と直交する方向Ｓ１に沿って、比較的大きく振動可能である。
【００２６】
また、本実施形態に係る振動板１０は、高剛性の金属箔により形成したので、たとえば樹脂系フィルムにより形成された振動板と比べて、面積が大きな振動板１０を形成することができる。振動板１０の面積を大きくすることで、低音域の音圧特性が向上する。
【００２７】
また、例えばマグネシウム箔などの比較的比重の小さい金属により振動板１０を形成することで、ラテラル駆動型スピーカ１全体の重量も比較的小さくすることができる。
【００２８】
また、上述した実施形態では、振動板１０の一端部１０ｂに駆動部２０が設けられ、振動板１０の他端部１０ａが、半固定または固定するように支持部３０によりされているので、例えば振動板１０の両端部に駆動部２０を設ける場合と比べて、ラテラル駆動型スピーカ１を小型化することができる。
【００２９】
図４は、図１に示したラテラル駆動型スピーカ１に対する信号供給方式の例を示す説明図（等価回路図）である。
図４に示すように、駆動部２０では、信号源Ｓから端子Ｔ１，Ｔ２を介して信号ＳＧ１が磁歪素子２１に入力されると、磁歪素子２１はコイル部２２から生成された磁界の作用を受けて変位するので、駆動等価回路としてはインダクタンス（Ｌ１）が主構成要素となる。こうすることにより、駆動部２０に入力する電気信号を制御することができる。
【００３０】
図５は、本発明の第２実施形態に係るラテラル駆動型スピーカの構造を示す説明図である。
図５に示すように、本実施形態に係るラテラル駆動型スピーカ１ａは、振動板１０、駆動部２０、および支持部３０を有する。
【００３１】
第１実施形態との相違点は、図５に示すように、ラテラル駆動型スピーカ１ａでは、振動板１０の両端部１０ａ，１０ｂそれぞれに、駆動部２０を設けている点である。第１および第２実施形態で同じ機能を有する構成要素については、同じ符号を付して説明を省略する。
【００３２】
上述した構成のラテラル駆動型スピーカ１ａの動作を、第１実施形態との相違点を中心に説明する。
信号源Ｓ０から、振動板１０の両端に設けられた駆動部２０に電気信号が入力されると、コイル部２２は入力信号に応じて磁界を生成する。磁歪素子２１は、コイル部２２が生成する磁界に応じて伸縮する。
振動板１０の両端部に設けられた駆動部２０により、振動板１０の両端部は、図５に示すように、２つの駆動部２０それぞれの磁歪素子２１の伸縮振動に応じた駆動力を受け、その駆動力に応じて伸縮方向Ｓ２に沿って振動する。つまり、駆動部２０は、図５に示すように、振動板１０の端部を介して少なくとも振動板１０の湾曲面の面方向に沿った方向に振動駆動する。
【００３３】
高剛性の振動板１０は、振動板１０の端部の振動により撓み、振動板１０の湾曲部１１の中央部付近では、例えば図５に示すように湾曲部１１の面方向と直交する方向Ｓ１に沿って振動する。
【００３４】
上述したように、本実施形態では、振動板１０の両端部に駆動部２０が設けられ、振動板１０の両端部を振動駆動するので、第１実施形態と比べて、より音圧が大きな音波を生成することができる。
【００３５】
なお、本発明は、上述した実施形態に限られるものではない。
例えば、上述した実施形態ではコイル部２２は、磁歪素子２１を囲むように筒形状に形成したが、この形態に限られるものではない。コイル部２２は磁歪素子２１が伸縮するために印加する磁界を生成すればよい。
【００３６】
また、上述した実施形態において磁歪素子２１は、前記振動板の湾曲面の面方向に沿った方向に振動駆動したが、この形態に限られるものではない。例えば磁歪素子２１は、規定した方向に振動板１０を振動駆動してもよい。より具体的には振動板１０の端部の面方向と直交する方向に振動駆動してもよい。
【図面の簡単な説明】
【００３７】
【図１】本発明の第１実施形態に係るラテラル駆動型スピーカの構造を示す説明図である。
【図２】図１に示したラテラル駆動型スピーカ１の平面図である。
【図３】図１に示したラテラル駆動型スピーカ１の駆動部２０を説明するための断面図である。
【図４】実施形態におけるラテラル駆動型スピーカに対する信号供給方式の例を示す説明図（等価回路図）である。
【図５】本発明の第２実施形態に係るラテラル駆動型スピーカの構造を示す説明図である。
【符号の説明】
【００３８】
１  ラテラル駆動型スピーカ
１０  振動板
１１  湾曲部
２０  駆動部
２１  磁歪素子
２２  コイル部
２３  保持部
３０  支持部
【図１】
2006332781.tif 000003
【図２】
2006332781.tif 000004
【図３】
2006332781.tif 000005
【図４】
2006332781.tif 000006
【図５】
2006332781.tif 000007